(57)【要約】【課題】マスクを装着した際に耳かけ部により耳裏側に生じる痛みを抑制すること。【解決手段】耳カバー付マスク１０は、鼻と口を覆うシート状の本体部１１と、本体部１１の両端側に各々取り付けられて延在し、両側の耳を個別に覆う耳カバー１２と、本体部１１の両端側に各々取り付けられて環状に突出る形状を成し、両側の耳に個別に掛けられる耳かけ部１３とを備える。耳カバー１２は、耳全体を袋状に包んで耳に引っ掛かる引掛け部１２ａを有し、この引掛け部１２ａの耳の裏側に対応する位置に上から下に沿って細長く凹み、この凹みに耳かけ部１３が嵌め込まれて耳に引っ掛けられる凹溝部１２ｂを有する構造となっている。【選択図】図１
2019094601.tif 000002
【特許請求の範囲】
【請求項１】
鼻と口を覆うシート状の本体部と、
前記本体部の両端側に各々取り付けられて延在し、両側の耳を個別に覆う耳カバーと、
前記本体部の両端側に各々取り付けられて環状に突出る形状を成し、両側の耳に個別に掛けられる耳かけ部と
を備え、
前記耳カバーは、耳全体を袋状に包んで耳に引っ掛かる引掛け部を有し、当該引掛け部の耳の裏側に対応する位置に上から下に沿って細長く凹み、この凹みに前記耳かけ部が嵌め込まれて耳に引っ掛けられる凹溝部を有して成る
ことを特徴とする耳カバー付マスク。
【請求項２】
前記引掛け部は、前記凹溝部が形成された部分が多層構造とされている
ことを特徴とする請求項１に記載の耳カバー付マスク。
【請求項３】
前記耳カバーは、前記本体部の両端側に着脱自在に取り付けられている
ことを特徴とする請求項１又は２に記載の耳カバー付マスク。
【請求項４】
前記耳カバーは、前記本体部よりも小さく、当該本体部の裏側に当該本体部の表側から見えない状態で折り曲げ可能となっている
ことを特徴とする請求項１〜３の何れか１項に記載の耳カバー付マスク。
【請求項５】
前記耳カバーは、伸縮自在となっている
ことを特徴とする請求項１〜４の何れか１項に記載の耳カバー付マスク。
【発明の詳細な説明】
【技術分野】
【０００１】  本発明は、口及び鼻を覆うと共に、耳を覆う耳カバー付マスクに関する。
【背景技術】
【０００２】  従来のマスクとしては、口及び鼻を覆い風邪のウィルスや花粉等が口や鼻から入らないようにするタイプのものが一般的である。この他、特許文献１に記載のように、耳カバーを備えるタイプのマスクもある。このマスクには、図７に示すように、耳かけ部２の外面側に、耳６５を覆う耳カバー４１が設けられている。耳カバー４１には、耳かけ部２とほぼ同じ外形を有する不織布等が使用可能となっている。耳カバー４１の使用により、耳６５（例えば耳介および外耳道）の保温や外気中の微粒子の除去が可能となっている。
【先行技術文献】
【特許文献】
【０００３】
【特許文献１】特開２０１２−２３９５８８号公報
【発明の概要】
【発明が解決しようとする課題】
【０００４】  特許文献１に記載のマスクにおいては、耳カバー４１が、耳かけ部２の外面側に耳６５を覆うように設けられているので、耳の保温効果や外気中の微粒子を除去する効果が得られる。しかし、一般的な耳カバーの無いマスク同様、耳かけ部２を直接、耳の裏側に引っ掛けてマスクを顔に装着することになる。この場合、紐状となった耳かけ部２が、耳の裏側に引っ掛けられて顔の前方側に常時引っ張られる。このため、長時間マスクを装着していると耳の裏側が痛くなるという問題が生じる。【０００５】  本発明は、このような事情に鑑みてなされたものであり、マスクを装着した際に耳かけ部により耳裏側に生じる痛みを抑制することができる耳カバー付マスクを提供することを目的とする。
【課題を解決するための手段】
【０００６】  上記課題を解決するための手段として、請求項１に係る発明の耳カバー付マスクは、鼻と口を覆うシート状の本体部と、前記本体部の両端側に各々取り付けられて延在し、両側の耳を個別に覆う耳カバーと、前記本体部の両端側に各々取り付けられて環状に突出る形状を成し、両側の耳に個別に掛けられる耳かけ部とを備え、前記耳カバーは、耳全体を袋状に包んで耳に引っ掛かる引掛け部を有し、当該引掛け部の耳の裏側に対応する位置に上から下に沿って細長く凹み、この凹みに前記耳かけ部が嵌め込まれて耳に引っ掛けられる凹溝部を有して成ることを特徴とする。【０００７】  この構成によれば、耳かけ部が、耳全体を覆った耳カバーの引掛け部の凹溝部に引っ掛けられ、耳かけ部と耳との間に引掛け部が介在することで、耳かけ部の顔の前方側への引っ張り力が、引掛け部で分散される。このため、耳に耳かけ部を長時間掛けていても、耳の裏側が痛くなることが抑制（軽減）される。同時に、耳から顔に掛けて耳カバーで覆うので、耳を含む周辺部分の保温効果を高めることができる。また、耳の穴が耳カバーで遮蔽されるので、耳穴からの大気中の微粒子の侵入を防止することができる。【０００８】  請求項２に係る発明は、請求項１において、前記引掛け部は、前記凹溝部が形成された部分が多層構造とされていることを特徴とする。【０００９】  この構成によれば、耳かけ部が引っ掛けられる凹溝部が、多層構造で形成されているので、耳かけ部の顔の前方側への引っ張り力を、その多層構造でより分散することができる。このため、耳に引掛け部を長時間掛けていても、耳の裏側が痛くなることを、より軽減することができる。【００１０】  請求項３に係る発明は、請求項１又は２において、前記本体部の両端側に着脱自在に取り付けられていることを特徴とする。【００１１】  この構成によれば、耳カバーが邪魔や不要な場合には、耳カバーを本体部から取り外すことができるので、一般的なマスクとして装着することができる。この逆に、耳を保温したい場合は、本外部に耳かけ部を付けて耳を保温することができる。【００１２】  請求項４に係る発明は、請求項１〜３の何れか１項において、耳カバーが、本体部よりも小さく、当該本体部の裏側に当該本体部の表側から見えない状態で折り曲げ可能となっていることを特徴とする。【００１３】  この構成によれば、耳カバーを本体部の裏側に、表側から見えない状態で折り曲げて顔との間に保持し、両側の耳に耳かけ部のみを掛けて、マスクを顔に装着することができる。従って、耳カバーが邪魔な場合等でも一般的なマスクと同様に装着することができる。
【発明の効果】
【００１４】  本発明によれば、マスクを装着した際に耳かけ部により耳裏側に生じる痛みを抑制することができる耳カバー付マスクを提供することができる。
【図面の簡単な説明】
【００１５】
【図１】本発明の実施形態に係る耳カバー付マスクの構成を示す斜視図である。
【図２】本実施形態の耳カバー付マスクを顔に装着した様態を示す斜視図である。
【図３】（ａ）本実施形態の耳カバー付マスクが装着状態の耳を裏側から見た図、（ｂ）同状態の耳を裏側から異なる角度で見た図、（ｃ）は（ａ）のＡ１−Ａ１断面図、（ｄ）は多層構造に凹溝部を設けた際の断面図である。
【図４】（ａ）本実施形態の耳カバー付マスクの耳カバーを裏側に折り曲げた様態を示す平面図、（ｂ）耳カバーをマスク本体部の両端に、細長い円柱状に巻き取って配置した様態を様態を示す斜視図である。
【図５】本実施形態の変形例に係る耳カバー付マスクの構成を示し、（ａ）はマスク本体部の両端部に雌側マジックテープを固定した様態を示す平面図、（ｂ）は耳カバーの両端部に雄側マジックテープを固定した様態を示す平面図である。
【図６】本実施形態の変形例に係る耳カバー付マスクの構成を示し、（ａ）は耳カバーに蛇腹構造を付けた様態を示す平面図、（ｂ）は（ａ）の上面図である。
【図７】従来のマスクを顔に装着した様態を示す斜視図である。
【発明を実施するための形態】
【００１６】  以下、本発明の実施形態を、図面を参照して説明する。
図１は本発明の実施形態に係る耳カバー付マスクの構成を示す斜視図である。図１に示す耳カバー付マスク（マスク）１０は、シート状のマスク本体部（本体部）１１と、本体部１１の両端部に各々設けられた耳カバー１２及び耳かけ部１３とを備えて構成されている。このマスク１０は、図２に示すように、顔５２の鼻と口を本体部１１で覆い、両側の耳５１に耳カバー１２及び耳かけ部１３を掛けることにより顔５２に装着する。
【００１７】  耳カバー１２は、シート状の本体部１１の両端から耳５１を覆うことが可能な長さと幅を有するシート状を成している。この耳カバー１２の一端側は、本体部１１の端部に図１に破線１４で示す縫い付けや接着等により取り付けられている。
【００１８】  耳カバー１２の他端側には、図３（ａ）及び（ｂ）に示すように、耳５１を裏側から包み込んで耳５１に引っ掛けることが可能な袋状の引掛け部１２ａが形成されている。この引掛け部１２ａの耳５１の裏側（耳裏側）に対応する表面側には、耳裏側の上部から下部に沿って、図３（ｃ）に示すように、表から裏側に概略Ｖ字状に細長く凹む凹溝部１２ｂが構成されている。この他、図３（ｄ）に示すように、引掛け部１２ａの耳５１の裏側部分を折り返して少なくとも２層以上の多層構造１２ｃとし、この多層構造１２ｃで凹溝部１２ｂを構成してもよい。多層構造１２ｃは、３層以上であってもよく、耳カバー１２と後述の同材料又は異なる材料によるシート状部材を複数枚重ねて縫い付け等により一体に形成してもよい。
【００１９】  本体部１１及び耳カバー１２は、ポリエステル系等の合成繊維等を用いた不織布、ガーゼ等の種々の布、又は樹脂等のシート状部材で形成されている。耳かけ部１３は、不織布、ガーゼ、樹脂等の柔軟な素材を用いて構成してもよいが、本体部１１に比べて伸縮性が高い素材を用いてもよく、天然ゴムやシリコーンゴム等の各種のゴム系等の弾性材料を用いてもよい。
【００２０】  耳かけ部１３は、図１に示すように、本体部１１の両側に環状（又はリング状）に突き出たシート状を成し、本体部１１の両端部の上下で且つ耳カバー１２よりも外側に、縫い付け１４や接着等により取り付けられている。なお、耳かけ部１３は、耳カバー１２の内側に取り付けられていてもよい。
【００２１】  耳カバー１２は、図４（ａ）に示すように、本体部１１の裏側に折り曲げることもできる。その場合、両側の耳５１に耳かけ部１３のみを掛けて、マスク１０を顔５２に装着する。耳カバー１２は、本体部１１の裏面と顔５２との間に配置されて保持されることになり、本体部１１の表側から見えない大きさとなっている。この他、図４（ｂ）に示すように、耳カバー１２を本体部１１の両端に、細長い円柱状に巻き取って配置してもよい。この場合、耳カバー１２は、両側の耳５１に掛けられた耳かけ部１３と顔５２との間に、細長い円柱状で挟まれて保持される。なお、耳カバー１２は、巻き取るのではなく、短冊状に折り畳んで纏めてもよい。
【００２２】  このように本実施形態の耳カバー付マスク１０によれば、本体部１１で鼻と口を覆い、耳カバー１２の引掛け部１２ａを両側の耳５１に引っ掛け、この後、両側の耳かけ部１３を両側の耳カバー１２の凹溝部１２ｂに引っ掛けてマスク２０を装着する。この装着により、次のような効果が得られる。即ち、耳かけ部１３が、耳を覆った状態の表面側の凹溝部１２ｂに引っ掛けられるので、耳かけ部１３と耳５１との間に耳カバー１２の引掛け部１２ａが介在することになる。このため、耳かけ部１３の顔５２の前方側への引っ張り力が、引掛け部１２ａで分散される。これにより、耳５１に耳かけ部１３を長時間掛けていても、耳５１の裏側が痛くなることが抑制（軽減）又は無くなる。また、耳カバー１２がこの上から耳かけ部１３で固定されるので、自転車で走行中等の強風下において、耳５１から耳カバー１２が外れることを防止できる。
【００２３】  同時に、引掛け部１２ａで耳５１を袋状に覆いながら、耳５１から顔５２に掛けて耳カバー１２で覆うので、耳５１を含む周辺部分の保温効果を、より高めることができる。例えば、寒中環境下で歩行や作業等を行ったり、自転車に乗ったりする場合に、耳を保温することができる。また、耳の穴が耳カバー１２により遮蔽されるので、耳の穴から埃や人体に悪影響を及ぼす等の粒子の侵入を防止することができる。
【００２４】  また、引掛け部１２ａは、この耳の裏側部分が少なくとも２層以上重なった多層構造１２ｃとされ、この多層構造１２ｃで凹溝部１２ｂが形成されている構成とした。
この構成によれば、耳かけ部１３が引っ掛けられる凹溝部１２ｂが、２層以上の多層構造１２ｃで形成されているので、耳かけ部１３の顔５２の前方側への引っ張り力が、多層構造１２ｃでより分散される。このため、耳５１に耳かけ部１３を長時間掛けていても、耳５１の裏側が痛くなることを、より軽減することができる。
【００２５】  また、耳カバー１２は、本体部１１よりも小さく、当該本体部１１の裏側に本体部１１の表側から見えない状態で折り曲げ可能となっている。この構成によれば、耳カバー１２を本体部１１の裏側に、表側から見えない状態で折り曲げて顔との間に保持し、両側の耳５１に耳かけ部１３のみを掛けて、マスク１０を顔に装着することができる。従って、耳カバー１２が邪魔な場合等でも一般的なマスクと同様に装着することができる。
【００２６】  上述した構成では、図１に示すように、耳カバー１２が、マスク本体部１１の両端側に縫い付け１４や接着等により取り付けられている構成としたが、耳カバー１２が本体部１１にマジックテープやファスナ等の取付手段を介在して着脱自在に取り付けられた構成としてもよい。取付手段は、マスク本体部１１の裏側（顔当接側）又は表側に設ける。
【００２７】  取付手段を用いる場合は、取付手段をマスク本体部１１の裏側（顔当接側）に設ける場合は、耳カバー１２を外した際に顔５２に当接して痛くならないように工夫してあるとする。例えば、マジックテープを用いる場合は、図５（ａ）に示すように、本体部１１の両端部に上下方向に、個々がループ状に起毛した起毛部を有する雌側マジックテープ３１を固定する。一方、図５（ｂ）に示すように、耳カバー１２の一端部に上下方向に、個々の先端が鍵状に尖った突起を有する雄側マジックテープ３２を固定する。雌側マジックテープ３１と雄側マジックテープ３２は周知のように互いに着脱自在となっている。また、図６（ａ）及び（ｂ）に示すように、耳カバー１２に蛇腹構造を設けて、耳カバー１２を伸縮自在としてもよい。この構成では顔のサイズに合わせることができる。
【００２８】  この構成によれば、耳カバー１２が邪魔や不要な場合には、本体部１１の裏側に設けた雌側マジックテープ３１から雄側マジックテープ３２を引き剥がして、耳カバー１２を取り外すことができるので、耳かけ部１３のみを耳に引っ掛けてマスク１０を装着することができる。また、本体部１１の雌側マジックテープ３１は、表面が起毛部なので肌に触れても柔らかいため、顔５２が痛くなることを防止できる。雌側マジックテープ３１を本体部１１の表側に設ける場合は、肌に触れないので、肌が痛くなることはない。
この他、雌側マジックテープ３１をマスク本体部１１の表側に固定し、この雌側マジックテープ３１に雄側マジックテープ３２を付けて耳カバー１２を取り付けてもよい。
【符号の説明】
【００２９】  １０  耳カバー付マスク、１１  マスク本体部、１２  耳カバー、１２ａ  引掛け部、１２ｂ  凹溝部、１２ｃ  多層構造、１３  耳かけ部
【図１】
2019094601.tif 000003
【図２】
2019094601.tif 000004
【図３】
2019094601.tif 000005
【図４】
2019094601.tif 000006
【図５】
2019094601.tif 000007
【図６】
2019094601.tif 000008
【図７】
2019094601.tif 000009